(57)【要約】【課題】地図の一部に拡大地図を重畳表示している場合に、拡大地図の表示態様により方向も知らせることができる利便性の高い地図表示方法を提供することである。【解決手段】表示装置に地図を表示する地図表示方法において、前記表示装置に第１の地図５０を表示し、第１の地図５０に、現在地５３を含む第１の地図５０より小さな枠５１を重畳し、枠５１内に、現在地５３を含む拡大した第２の地図５２を表示し、目的地が枠５１外にある場合、枠５１を目的地の方向を指す第１の矢印形状とする。【選択図】図４
2010054196.tif 000002
【特許請求の範囲】
【請求項１】
表示装置に地図を表示する地図表示方法において、
前記表示装置に第１の地図を表示し、
前記第１の地図に、基準点を含む前記第１の地図より小さな枠を重畳し、
前記枠内に、前記基準点を含む拡大した第２の地図を表示し、
設定された所望場所が前記枠外にある場合、前記枠を前記所望場所の方向を指す第１の矢印形状とすることを特徴とする地図表示方法。
【請求項２】
誘導案内時においては、前記基準点が現在地であり、前記所望場所が目的地であることを特徴とする請求項１記載の地図表示方法。
【請求項３】
前記枠内の誘導経路上の案内地点まで所定距離以内に現在地が近づいた場合、前記枠を案内方向を指す第２の矢印形状とすることを特徴とする請求項２記載の地図表示方法。
【請求項４】
請求項１〜３の何れかに記載の地図表示方法を用いたナビゲーション装置。
【発明の詳細な説明】
【技術分野】
【０００１】
本発明は、表示している地図上に該表示している地図より小さな枠を重畳し、該枠内の基準点を含む拡大した地図を該枠内に表示する地図表示方法及びそれを用いたナビゲーション装置に関する。
【背景技術】
【０００２】
現在、地図はナビゲーション装置、携帯情報端末、携帯電話機、パーソナルコンピュータ（以下、ＰＣと記す）など様々な装置で表示されて利用されている。それぞれの装置の利用形態や地図データの内容により、地図の表示方法は多種多様であり、ユーザの利便性を向上させた表示方法が多く提案されている。
【０００３】
例えば、特許文献１には、広域地図に対応するある縮尺の地図画像をメイン画像として表示した上で、このメイン画像上の表示領域内に対して、これとは異なる縮尺による詳細地図エリアの重畳表示を行う地図情報表示装置が開示されている。つまり、表示中の地図の一部にそれよりも拡大した地図を重ねて表示することで、地図の一部を虫眼鏡で拡大したように表示するものである。
【特許文献１】特開２００２−５６７２号公報
【発明の開示】
【発明が解決しようとする課題】
【０００４】
しかしながら、特許文献１の技術を用いた場合、目的地や検索した場所など所望場所が中心に表示されている状態から、ユーザが詳細地図エリアを移動させて周辺の情報を見ているうちに、最初に表示されていた所望場所が画面の外に移動してしまい、見失うことがある。このとき、最初に表示されていた所望場所を表示する地図に戻したい場合は、ユーザは四方八方に地図表示を移動させて探さなければならず、利便性に欠ける。
【０００５】
そこで本発明は、地図の一部に拡大地図を重畳表示している場合に、拡大地図の表示態様により方向も知らせることができる利便性の高い地図表示方法を提供することを目的とする。また、その地図表示方法を用いたナビゲーション装置を提供することも目的とする。
【課題を解決するための手段】
【０００６】
上記目的を達成するために本発明は、表示装置に地図を表示する地図表示方法において、前記表示装置に第１の地図を表示し、前記第１の地図に、基準点を含む前記第１の地図より小さな枠を重畳し、前記枠内に、前記基準点を含む拡大した第２の地図を表示し、設定された所望場所が前記枠外にある場合、前記枠を前記所望場所の方向を指す第１の矢印形状とすることを特徴とする。
【０００７】
この構成によると、設定された所望場所が枠外にあるか又は枠内にあるかで、枠の形状を変えて表示される。
【０００８】
上記地図表示方法において、誘導案内時においては、前記基準点が現在地であり、前記所望場所が目的地であることとする。
【０００９】
この構成によると、ナビゲーション装置や携帯電話機やＰＤＡ（Personal Digital Assistant）など現在地を検出できる装置に適用することができる。
【００１０】
また上記地図表示方法において、前記枠内の誘導経路上の案内地点まで所定距離以内に現在地が近づいた場合、前記枠を案内方向を指す第２の矢印形状とするようにしてもよい。
【００１１】
この構成によると、案内地点に近づいた場合に、枠の形状をさらに変えて表示される。
【００１２】
また本発明のナビゲーション装置は、上記の何れかに記載の地図表示方法を用いることとする。
【発明の効果】
【００１３】
本発明によれば、設定された所望場所が枠外にある場合、所望場所の方向を指す第１の矢印形状の枠とすることにより、枠内に拡大地図を表示することで近辺をわかりやすくするとともに、矢印の方向により設定された所望場所の方向も知らせることができる。
【００１４】
また本発明によれば、誘導経路上の案内地点まで所定距離以内に現在地が近づいた場合、案内方向を指す第２の矢印形状の枠とすることにより、枠内に拡大地図と現在地とを表示することで誘導経路をわかりやすくするとともに、矢印の方向により案内方向も見やすく表示することができる。
【００１５】
したがって、本発明によると、地図の一部に拡大地図を重畳表示するだけでなく、拡大地図の表示態様により方向も知らせることができる利便性の高い地図表示方法を提供することができる。
【発明を実施するための最良の形態】
【００１６】
以下、本発明の地図表示方法を用いたナビゲーション装置とＰＣを例に説明する。図１は、本発明のナビゲーション装置の主要な構成を示すブロック図である。
【００１７】
ナビゲーション装置１０は、車両搭載用であって、ＧＰＳ（Global Positioning System）衛星から受信した電波に基づいて車両位置を特定し、車両位置とともにその付近の地図が示された誘導画面を表示して、誘導経路に沿って車両を目的地まで誘導することを主たる機能としている。
【００１８】
ナビゲーション装置１０は、ＧＰＳ部１１と、ジャイロセンサ１２と、車速センサ１３と、インターフェース部１４と、制御部１５と、記録媒体１９と、ドライブ部２０と、描画部２１と、表示制御部２２と、表示部２３と、音源回路部２４と、スピーカ２５と、ハードキー２６と、タッチパネル２７と、位置検出部２８と、インターフェース部２９とを備えている。
【００１９】
ＧＰＳ部１１は、受信アンテナ及びチューナ等で構成されており、ＧＰＳ衛星から受信した電波を処理して測位用データを取り出す。取り出された測位用データは、インターフェース部１４を介して制御部１５に送られる。制御部１５は、ＧＰＳ部１１から送られた測位用データに基づいて車両の現在地を特定する。ナビゲーション装置１０は、所謂ハイブリッド方式を採用しており、車両の向きを検知するためのジャイロセンサ１２と、車両の速度を検知するための車速センサ１３も併用する。ジャイロセンサ１２や車速センサ１３の検知信号はインターフェース部１４を介して制御部１５に送られ、制御部１５はそれらの信号に基づいて車両の向きや速度を特定する。
【００２０】
また、制御部１５は、ナビゲーション装置１０の制御を統括的に行うとともに、車両位置の特定や経路探索等の各種動作及び処理を実行する。制御部１５は、例えばマイクロコンピュータで構成されており、制御や動作の手順が記述された各種プログラムを実行するＣＰＵ１６と、ＣＰＵ１６で使用されるデータや、後述する記録媒体１９から読み出されてＣＰＵ１６で実行されるプログラムを一時的に記憶するＲＡＭ１７と、立ち上げや入出力等に関する基本的な制御を記述したプログラムやフォントデータ等を記憶するＲＯＭ１８とを含んでいる。これらＣＰＵ１６、ＲＡＭ１７、ＲＯＭ１８等は、バス（不図示）を介して接続されている。
【００２１】
記録媒体１９には、ハードディスク、メモリーカード、光ディスク等を採用できる。記録媒体１９には、誘導画面の表示や経路探索などに必要となる地図データベースと、ナビゲーション装置１０の各種動作を記述したプログラムとが格納されている。そして、制御部１５は、記録媒体１９からドライブ部２０を介してこのプログラムを読み出して実行する。地図データベースには、道路、施設、背景等の情報を含む地図データ、地図データに基づいて地図や誘導画面を描画する際に参照される描画パラメータ、各種検索にて参照される索引データ、経路誘導用やその他の用途の音声の生成に使用される音声データ等が含まれている。そして、制御部１５は、実行する動作に必要なデータを地図データベースから部分的に取り出して参照する。
【００２２】
描画部２１は、描画専用のＣＰＵ等を含むＩＣチップであって、制御部１５からの指示に基づいて、誘導画面の画像データや操作画面の画像データ等を作成する。描画部２１で作成された画像データは、表示制御部２２に送られ、表示制御部２２が有するＲＡＭに記憶される。表示制御部２２は、記憶した画像データに基づいて表示部２３に画像表示用の信号を送り、表示部２３の表示領域に画像データに係る画面を表示させる。表示部２３には、ＬＣＤや有機ＥＬディスプレイなどが用いられる。
【００２３】
音源回路部２４は、制御部１５から送られた音声データに基づいて、経路誘導用やその他の用途のアナログ音声信号を生成する。生成されたアナログ音声信号は、スピーカ２５で再生される。
【００２４】
ハードキー２６は、電源のオン／オフをする電源キーや音量調整用のキー等を含んでいる。ハードキー２６を構成するキーの１つが押下されると、そのキーの押下を通知する信号がインターフェース部２９を介して制御部１５に送られる。
【００２５】
タッチパネル２７は、例えば、格子状に配置された透明な電極を有する感圧式のパネルであって、表示部２３の表示領域上に配設される。タッチパネル２７が押下されると、位置検出部２８は、タッチパネル２７から送られた電圧信号に基づいて、押下された位置の座標情報を通知する信号を生成する。この信号は、インターフェース部２９を介して制御部１５に送られる。
【００２６】
〈第１の実施形態〉
図２は、第１の実施形態のナビゲーション装置の動作を示すフローチャートである。本ナビゲーション装置１０は、通常モードと拡大枠モードとを備えており、以下では、予めユーザの操作により拡大枠モードが選択されている場合について説明する。拡大枠モードとは、画面上の地図の一部に枠を重畳表示し、枠内に現在地を含む拡大地図を表示するモードである。一方、通常モードとは、画面上の地図に現在地を重畳表示するモードである。
【００２７】
まず、電源オンなどの操作があると、ステップＳ１０においてナビゲーション装置１０は現在地を特定する。次に、ステップＳ１１へ進んで現在地を含む第１の地図を表示する。第１の地図は、予め設定された縮尺の地図であり、現在地が第１の地図の中心や中心のやや下方になるように表示する。
【００２８】
次に、ステップＳ１２へ進んで目的地が設定されているか否かを判別する。目的地の設定は、ユーザが地図上から選んだり、住所から検索したり、電話番号から検索したりすることで設定される。
【００２９】
ステップＳ１２において目的地が設定されていない場合、例えば、電源オン操作してそのままの状態の場合などは、ステップＳ１３へ進んで第１の地図に、現在地を含む第１の地図より小さな枠を重畳し、枠内に、現在地を含む第１の地図よりも拡大した第２の地図と現在地とを表示する。ステップＳ１３からはステップＳ１０に戻る。
【００３０】
図３は、ステップＳ１３の表示画面の一例である。第１の地図４０の中心に第１の地図４０より小さな円形の枠４１が重畳され、枠４１内に、現在地を含む第１の地図４０よりも拡大した第２の地図４２と現在地４３とが表示されている。
【００３１】
枠４１の大きさは、ユーザが枠４１の周囲をドラッグしながら移動させることで所望の大きさに変えられるようにしてもよい。また、枠４１の形状も枠４１の所定箇所をドラッグしながら引っ張ることで変えられるようにしてもよい。
【００３２】
第２の地図４２は、第１の地図４０を現在地を中心に拡大し、枠４１に収まるように切り取ればよい。現在地４３は、図３では二等辺三角形で示しており、頂角が現在の進行方向を示しているが、少なくとも現在地を示すマークであればよく、例えば、点や矢印や車両の絵柄などであってもよい。
【００３３】
上記の枠の大きさや形状の可変方法、第２の地図の拡大方法、現在地のマークについては、以下の図でも同様に適用できるものとする。
【００３４】
このように、枠４１を用いることにより、ユーザは現在地周辺の広域の様子と、現在地近辺の詳細な様子とを同時に把握することができる。換言すれば、両者の様子を把握するにあたり、視点を大きく変える必要がない。また従来のように、両者を別々に並べて表示させる必要がないため、同じ画面サイズでも見易さを損なわずに多くの情報を表示することができる。したがって、携帯端末などの小さな画面でも有効となる。
【００３５】
図２に戻り、ステップＳ１２において目的地が設定されている場合は、ステップＳ１４へ進んで現在地から目的地までの経路探索を行い、誘導経路を他の道と区別できるように所定の色などで地図に重畳する。経路探索には従来の様々な手法を採用することができる。
【００３６】
ステップＳ１４からステップＳ１５へ進んで、目的地が後で表示する枠外か枠内のどちらにあるか判別する。このときの枠は、例えば上述した現在地を含む枠４１を想定すればよい。ステップＳ１５において目的地が枠外にある場合は、ステップＳ１６へ進んで、第１の地図に枠を重畳し、枠内に、現在地を含む第１の地図よりも拡大した第２の地図と現在地とを表示する。このときの枠は目的地の方向を指す第１の矢印形状とする。
【００３７】
図４は、ステップＳ１６の表示画面の一例である。第１の地図５０の中心に第１の地図５０より小さな第１の矢印形状の枠５１が重畳され、枠５１内に、現在地を含む第１の地図５０よりも拡大した第２の地図５２と現在地５３とが表示されている。枠５１は、三角形と円を組み合わせた形状をしており、枠５１の三角形の矢印は目的地５４の方向を指している。また、誘導経路５５が破線で表示されている。
【００３８】
このように、第１の矢印形状の枠５１を用いることにより、枠内に拡大地図と現在地とを表示することで誘導経路をわかりやすくするとともに、矢印の方向により目的地の方向も知らせることができる。したがって、拡大地図だけではない、より利便性の高い地図表示方法を提供することができる。
【００３９】
図２に戻り、ステップＳ１５において目的地が枠内にある場合は、ステップＳ１７へ進んで、第１の地図に、現在地を含む第１の地図より小さな枠を重畳し、枠内に、現在地を含む第１の地図よりも拡大した第２の地図と現在地とを表示する。このときの枠はステップＳ１３と同じ矢印形状でない枠とする。
【００４０】
図５は、ステップＳ１７の表示画面の一例である。第１の地図６０の中心に第１の地図６０より小さな円形の枠６１が重畳され、枠６１内に、現在地を含む第１の地図６０よりも拡大した第２の地図６２と現在地６３と目的地６４とが表示されている。
【００４１】
このように、枠６１を用いることにより、上述した枠４１を用いる場合と同様の効果を得ることができる。
【００４２】
図２に戻り、ステップＳ１６、ステップＳ１７からは共にステップＳ１８へ進み、現在地を特定する。次に、ステップＳ１９へ進んで目的地に到着したか否かを判別する。これは、現在地と目的地とがほぼ同じ位置にあるか否かを判別すればよい。
【００４３】
ステップＳ１９において目的地に到着していないと判別した場合は、ステップＳ２０へ進んで移動した現在地に合うように第１の地図を更新し、ステップＳ１５に戻る。一方、ステップＳ１９において目的地に到着したと判別した場合は、ステップＳ２１へ進んで誘導案内を終了する。
【００４４】
〈第２の実施形態〉
以下の第２の実施形態の説明では、第１の実施形態と重複する部分については詳細な説明を省略する。第２の実施形態も第１の実施形態と同様、拡大枠モードが選択されている場合について説明する。
【００４５】
図６は、第２の実施形態のナビゲーション装置の動作を示すフローチャートである。ステップＳ１０からステップＳ１４までは第１の実施形態と同様であり、ステップＳ１４からステップＳ３０へ進んで、現在地が、後で表示する枠内の誘導経路上の案内地点まで所定距離以内に近づいたか否かを判別する。このときの枠は、例えば上述した現在地を含む枠４１を想定すればよい。案内地点とは、分岐点や曲がり角など特に詳しく経路を案内する必要がある地点をいう。所定距離は、例えば、１００ｍなどユーザが余裕を持って進路を変更できる距離とする。
【００４６】
ステップＳ３０において案内地点の所定距離以内に近づいていると判別した場合は、ステップＳ３１へ進んで第１の地図に枠を重畳し、枠内に、現在地を含む第１の地図よりも拡大した第２の地図と現在地とを表示する。このときの枠は案内方向を指す第２の矢印形状とする。
【００４７】
図７は、ステップＳ３１の表示画面の一例である。第１の地図７０の中心に第１の地図７０より小さな第２の矢印形状の枠７１が重畳され、枠７１内に、現在地を含む第１の地図７０よりも拡大した第２の地図７２と現在地７３とが表示されている。枠７１は、三角形と四角形を組み合わせた形状をしており、枠７１の三角形の矢印は案内方向を指している。また、誘導経路７４が破線で表示されている。
【００４８】
このように、第２の矢印形状の枠７１を用いることにより、枠内に拡大地図と現在地とを表示することで誘導経路をわかりやすくするとともに、矢印の方向により案内方向も見やすく表示することができる。したがって、拡大地図だけではない、より利便性の高い地図表示方法を提供することができる。
【００４９】
図６に戻り、ステップＳ３１からはステップＳ１８へ進む。一方、ステップＳ３０において案内地点の所定距離以内に近づいていないと判別した場合は、ステップＳ１５へ進む。ステップＳ１５からステップＳ２１は第１の実施形態と同様であり、ステップＳ２０からはステップＳ３０に戻る。
【００５０】
上記第１及び第２の実施形態において、第１及び第２の矢印形状の枠の形状には特に限定はない。図８Ａ〜図８Ｉに、枠形状の例を示す。図８Ａの枠８０は、長方形の一辺に二等辺三角形の底辺を合わせた矢印形状である。図８Ｂの枠８１は、平行四辺形を線対称に合わせた矢印形状である。図８Ｃの枠８２は、二等辺三角形の矢印形状である。図８Ｄの枠８３は、合同な三角形を線対称に合わせた矢印形状である。図８Ｅの枠８４は、二等辺三角形を積み重ねた矢印形状である。図８Ｆの枠８５は、正方形にそれよりも小さな二等辺三角形を積み重ねた矢印形状である。図８Ｇの枠８６は、円にそれよりも小さな二等辺三角形を積み重ねた矢印形状である。図８Ｈの枠８７は、円に矢印を合わせた矢印形状である。図８Ｉの枠８８は、長方形に直角三角形を積み重ねた矢印形状である。
【００５１】
〈第３の実施形態〉
図９は、本発明のＰＣの主要な構成を示すブロック図である。ＰＣ９０は、ノート型であって、ネットワークを介して受信した地図や記録媒体に格納された地図を表示することができる。
【００５２】
ＰＣ９０は、インターフェース部９１と、制御部９２と、記録媒体９３と、ドライブ部９４と、描画部９５と、表示制御部９６と、表示部９７と、音源回路部９８と、スピーカ９９と、ハードキー１００と、インターフェース部１０１とを備えている。そして、インターフェース部９１はインターネットなどのネットワーク１１０に接続されている。
【００５３】
制御部９２は、ＰＣ９０の制御を統括的に行う。制御部９２は、例えばマイクロコンピュータで構成されており、制御や動作の手順が記述された各種プログラムを実行するＣＰＵ１０２と、ＣＰＵ１０２で使用されるデータや、後述する記録媒体９３から読み出されてＣＰＵ１０２で実行されるプログラムを一時的に記憶するＲＡＭ１０３と、立ち上げや入出力等に関する基本的な制御を記述したプログラムやフォントデータ等を記憶するＲＯＭ１０４とを含んでいる。これらＣＰＵ１０２、ＲＡＭ１０３、ＲＯＭ１０４等は、バス（不図示）を介して接続されている。
【００５４】
記録媒体９３には、ハードディスク、メモリーカード、光ディスク等を採用できる。記録媒体９３には、地図データベースと、ＰＣ９０の各種動作を記述したプログラムとが格納されている。そして、制御部９２は、記録媒体９３からドライブ部９４を介してこのプログラムを読み出して実行する。地図データベースには、道路、施設、背景等の情報を含む地図データ、地図データに基づいて地図や誘導画面を描画する際に参照される描画パラメータ、各種検索にて参照される索引データ、経路誘導用やその他の用途の音声の生成に使用される音声データ等が含まれている。そして、制御部９２は、実行する動作に必要なデータを地図データベースから部分的に取り出して参照する。また、記録媒体９３に格納されているデータはネットワーク１１０から受信するようにしてもよい。
【００５５】
描画部９５は、描画専用のＣＰＵ等を含むＩＣチップであって、制御部９２からの指示に基づいて、誘導画面の画像データや操作画面の画像データ等を作成する。描画部９５で作成された画像データは、表示制御部９６に送られ、表示制御部９６が有するＲＡＭに記憶される。表示制御部９６は、記憶した画像データに基づいて表示部９７に画像表示用の信号を送り、表示部９７の表示領域に画像データに係る画面を表示させる。表示部９７には、ＬＣＤや有機ＥＬディスプレイなどが用いられる。
【００５６】
音源回路部９８は、制御部９２から送られた音声データに基づいて、アナログ音声信号を生成する。生成されたアナログ音声信号は、スピーカ９９で再生される。
【００５７】
ハードキー１００は、ＰＣ９０のキーボードである。ハードキー１００を構成するキーの１つが押下されると、そのキーの押下を通知する信号がインターフェース部１０１を介して制御部９２に送られる。
【００５８】
図１０は、第３の実施形態のＰＣ９０の動作を示すフローチャートである。ここでは、ＰＣ９０は、記録媒体９３から地図を読み出すものとする。その際、予めユーザの操作により拡大枠モードが選択されている場合について説明する。拡大枠モードとは、画面上の地図の一部に枠を重畳表示し、枠内に基準点（ユーザが見たい場所に移動させることができる点であり後述する枠と一緒に移動する）を含む拡大地図を表示するモードである。
【００５９】
まず、ステップＳ４０においてＰＣ９０は所望場所が設定されたか否かを判別する。所望場所とは、ユーザが住所検索などで検索した場所をいう。ステップＳ４０において所望場所が設定された場合、例えば、住所検索が行われた場合は、ステップＳ４１へ進んでその住所を中心とする第１の地図を表示する。第１の地図は予め設定された縮尺の地図であるが、その縮尺はユーザが任意に変えることができる。
【００６０】
次に、ステップＳ４２へ進んで第１の地図に、所望場所を含む第１の地図より小さな枠を重畳し、枠内に、所望場所を含む第１の地図よりも拡大した第２の地図と基準点とを表示する。なお、基準点の表示は省略してもよい。
【００６１】
図１１は、ステップＳ４２の表示画面の一例である。第１の地図１２０の中心に第１の地図１２０より小さな円形の枠１２１が重畳され、枠１２１内に、設定された所望場所１２２を中心とする第１の地図１２０よりも拡大した第２の地図１２２と所望場所１２２とが表示されている。基準点は枠１２１の中心である。
【００６２】
枠１２１の大きさは、ユーザが枠１２１の周囲をドラッグしながら移動させることで所望の大きさに変えられるようにしてもよい。また、枠１２１の形状も枠１２１の所定箇所をドラッグしながら引っ張ることで変えられるようにしてもよい。
【００６３】
第２の地図１２２は、第１の地図１２０を設定された所望場所を中心に拡大し、枠１２１に収まるように切り取ればよい。
【００６４】
このように、枠１２１を用いることにより、ユーザは所望場所周辺の広域の様子と、所望場所近辺の詳細な様子とを同時に把握することができる。換言すれば、両者の様子を把握するにあたり、視点を大きく変える必要がない。
【００６５】
図１０に戻り、ステップＳ４２からステップＳ４３へ進んで基準点が移動させられたか否かを判別する。基準点はユーザの操作によりユーザが見たい点に任意に移動させることができ、基準点を中心とするように枠も同時に移動する。
【００６６】
ステップＳ４３において基準点が移動させられた場合、ステップＳ４４へ進んで移動した基準点に合うように、例えば、基準点が画面外に移動させられた場合はそれに追従するように、第１の地図を更新する。
【００６７】
次にステップＳ４５へ進んで、設定された所望場所が後で表示する枠外か枠内のどちらにあるか判別する。このときの枠は例えば上述した円形の枠１２１を想定すればよい。ステップＳ４５において設定された所望場所が枠内にある場合は、ステップＳ４２に戻る。
【００６８】
一方、ステップＳ４５において設定された所望場所が枠外にある場合は、ステップＳ４６へ進んで、第１の地図に枠を重畳し、枠内に、基準点を含む第１の地図よりも拡大した第２の地図と基準点とを表示する。このときの枠は設定された所望場所の方向を指す矢印形状（第１の矢印形状に相当）とする。なお、基準点の表示は省略してもよい。
【００６９】
図１２は、ステップＳ４６の表示画面の一例である。第１の地図１３０の中心に第１の地図１３０より小さな第１の矢印形状の枠１３１が重畳され、枠１３１内に、基準点を含む第１の地図１３０よりも拡大した第２の地図１３２が表示されている。枠１３１は、三角形と円を組み合わせた形状をしており、枠１３１の三角形の矢印は設定された所望場所１２２の方向を指している。なお、基準点は枠１３１の円形部分の中心である。
【００７０】
このように、矢印形状の枠１３１を用いることにより、枠内に拡大地図を表示することで詳細にわかりやすくするとともに、矢印の方向により設定された所望場所の方向も知らせることができる。したがって、拡大地図だけではない、より利便性の高い地図表示方法を提供することができる。例えば、枠１３１を移動させて周辺の情報を見ているうちに、所望場所が画面の外に出てしまった場合でも、矢印の方向を頼りに移動させれば容易に最初に設定した所望場所に戻ることができる。
【産業上の利用可能性】
【００７１】
本発明の地図表示方法は、ナビゲーション装置をはじめ、ＰＣ、ＰＤＡ、携帯電話機など、地図を表示できる各種電子機器に搭載したり、ネットワークを通じてＰＣなどに提供したりすることができる。
【図面の簡単な説明】
【００７２】
【図１】本発明のナビゲーション装置の主要な構成を示すブロック図である。
【図２】第１の実施形態のナビゲーション装置の動作を示すフローチャートである。
【図３】図２のステップＳ１３の表示画面の一例である。
【図４】図２のステップＳ１６の表示画面の一例である。
【図５】図２のステップＳ１７の表示画面の一例である。
【図６】第２の実施形態のナビゲーション装置の動作を示すフローチャートである。
【図７】図６のステップＳ３１の表示画面の一例である。
【図８Ａ】枠形状の一例である。
【図８Ｂ】枠形状の一例である。
【図８Ｃ】枠形状の一例である。
【図８Ｄ】枠形状の一例である。
【図８Ｅ】枠形状の一例である。
【図８Ｆ】枠形状の一例である。
【図８Ｇ】枠形状の一例である。
【図８Ｈ】枠形状の一例である。
【図８Ｉ】枠形状の一例である。
【図９】本発明のＰＣの主要な構成を示すブロック図である。
【図１０】第３の実施形態のＰＣの動作を示すフローチャートである。
【図１１】図１０のステップＳ４２の表示画面の一例である。
【図１２】図１０のステップＳ４６の表示画面の一例である。
【符号の説明】
【００７３】
１０    ナビゲーション装置
４０、５０、６０、７０、１２０、１３０    第１の地図
４１、５１、６１、７１、８０〜８８、１２１、１３１    枠
４２、５２、６２、７２、１２２、１３２    第２の地図
４３、５３、６３、７３    現在地
５４、６４    目的地
１２２    所望場所
【図１】
2010054196.tif 000003
【図２】
2010054196.tif 000004
【図３】
2010054196.tif 000005
【図４】
2010054196.tif 000006
【図５】
2010054196.tif 000007
【図６】
2010054196.tif 000008
【図７】
2010054196.tif 000009
【図８Ａ】
2010054196.tif 000010
【図８Ｂ】
2010054196.tif 000011
【図８Ｃ】
2010054196.tif 000012
【図８Ｄ】
2010054196.tif 000013
【図８Ｅ】
2010054196.tif 000014
【図８Ｆ】
2010054196.tif 000015
【図８Ｇ】
2010054196.tif 000016
【図８Ｈ】
2010054196.tif 000017
【図８Ｉ】
2010054196.tif 000018
【図９】
2010054196.tif 000019
【図１０】
2010054196.tif 000020
【図１１】
2010054196.tif 000021
【図１２】
2010054196.tif 000022